(57)【要約】【課題】熱源として圧縮機を含めたヒートポンプ装置を採用した場合に、圧縮機への負担をかけずに、乾燥中の一時停止に対応することを可能とする。【解決手段】ヒートポンプ装置２５と、乾燥用空気をヒートポンプ装置２５の吸熱器２０と放熱器２１と、衣類を入れた乾燥庫と衣類を撹拌する撹拌手段としての回転ドラム１１に導く風路１３と、前記風路１３に乾燥用空気を送る送風機１５と、ドア１２の開閉もしくは一時停止スイッチ１８によって乾燥動作を一時的に停止する一時停止手段と、一時停止実行時には撹拌手段の回転ドラム１１と圧縮機２２と送風機１５とを停止させ、一時停止手段解除では、圧縮機２２停止から所定時間経過で撹拌手段の回転ドラム１１と圧縮機２２と送風機１５とを作動させる制御を行う制御手段１９を有する構成としたものである。【選択図】図１
2005168547.tif 000002
【特許請求の範囲】
【請求項１】
圧縮機と圧縮後の高温高圧の冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置と、乾燥用空気を前記吸熱器と前記放熱器と衣類を入れた乾燥庫に導く風路と、前記風路に乾燥用空気を送る送風機と、乾燥庫内の衣類を撹拌する撹拌手段と、乾燥運転の一時停止手段と、一時停止実行時には撹拌手段と圧縮機と送風機とを停止させ、一時停止手段解除では、圧縮機停止から所定時間経過で撹拌手段と圧縮機と送風機とを作動させる制御を行う制御手段を有する衣類乾燥装置。
【請求項２】
圧縮機と圧縮後の高温高圧の冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置と、乾燥用空気を前記吸熱器と前記放熱器と衣類を入れた乾燥庫に導く風路と、前記風路に乾燥用空気を送る送風機と、乾燥庫内の衣類を撹拌する撹拌手段と、乾燥運転の一時停止手段と、一時停止実行時には撹拌手段と圧縮機と送風機とを停止させ、一時停止手段解除では、撹拌手段と送風機とを作動させるとともに、一時停止手段解除でかつ圧縮機の停止から所定時間経過で圧縮機を作動させる制御を行う制御手段を有する衣類乾燥装置。
【請求項３】
圧縮機と圧縮後の高温高圧の冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置と、乾燥用空気を前記吸熱器と前記放熱器と衣類を入れた乾燥庫に導く風路と、前記風路に乾燥用空気を送る送風機と、乾燥庫内の衣類を撹拌する撹拌手段と、乾燥運転の一時停止手段と、一時停止実行時には撹拌手段を停止させ、一時停止手段解除では、撹拌手段を作動させる制御を行う制御手段を有する衣類乾燥装置。
【請求項４】
圧縮機と圧縮後の高温高圧の冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置と、乾燥用空気を前記吸熱器と前記放熱器と衣類を入れた乾燥庫に導く風路と、前記風路に乾燥用空気を送る送風機と、乾燥庫内の衣類を撹拌する撹拌手段と、乾燥運転の一時停止手段と、一時停止実行時には撹拌手段を停止させて送風機と圧縮機の能力を所定値に下げ、一時停止手段解除では、撹拌手段を作動させて圧縮機と送風機の運転を所定の能力まで上げる制御を行う制御手段を有する衣類乾燥装置。
【発明の詳細な説明】
【技術分野】
【０００１】
本発明は、一般家庭で使用される洗濯と乾燥を同一槽で行う乾燥機能付き洗濯機、もしくは、乾燥のみを行う衣類乾燥機に具備される衣類乾燥装置に関するものである。
【背景技術】
【０００２】
従来、この種の衣類乾燥装置は、乾燥途中での衣類の出し入れなどの場合に、ドアの開閉によって乾燥動作を一時的に停止するもので、加熱手段と送風手段と撹拌手段を全て停止していた（例えば、特許文献１参照）。図９は前記文献に記載された従来の衣類乾燥装置を示すものである。図９に示すように、衣類を収納して乾燥する乾燥庫と撹拌手段としての回転ドラム１と、回転ドラム１内へ温風を循環させる熱交換型両翼ファン２と、回転ドラム１内への送風経路に設けられた加熱手段となる自己温度制御型のＰＴＣヒータ３と、回転ドラム１の開口部を閉塞するドア４と、回転ドラム１と熱交換型両翼ファン２を回転駆動するモータ５と、ドア４の開閉を検知する開閉検知手段７と、ＰＴＣヒータ３とモータ５の動作を制御する制御手段６から構成され、制御手段６は、開閉検知手段７によってドア４が開けられたことを検知するとＰＴＣヒータ３とモータ５への通電を停止し、ドア４が閉じられたことを検知すると、所定時間経過後にＰＴＣヒータ３とモータ５への通電を再開する。
【特許文献１】特開平８−１８２８９７号公報
【発明の開示】
【発明が解決しようとする課題】
【０００３】
しかしながら、前記従来の構成では、熱源として昇温が速い電気ヒータの場合には有効であるが、熱源として圧縮機を含めたヒートポンプ装置を採用した場合には、圧縮機による昇温が電気ヒータに比べて遅く、すぐに元の温風温度に復帰しにくい。また、圧縮機停止直後は冷媒の圧力差が大きく、短時間での停止と作動の繰り返しでは圧縮機の起動失敗が発生する恐れがあるため、ドアの開閉などの一時停止と停止解除に伴う圧縮機の短時間で頻繁な停止と運転の繰り返しは避ける構成が望まれる。
【０００４】
本発明は、前記従来の課題を解決するもので、熱源として圧縮機を含めたヒートポンプ装置を採用した場合も、圧縮機に負担をかけずに、乾燥中の一時停止に対応することを可能とした衣類乾燥装置を提供することを目的とする。
【課題を解決するための手段】
【０００５】
前記従来の課題を解決するために、本発明の衣類乾燥装置は、ヒートポンプ装置と、乾燥用空気をヒートポンプ装置の吸熱器と放熱器と衣類を入れた乾燥庫に導く風路と、前記風路に乾燥用空気を送る送風機と、乾燥庫内の衣類を撹拌する撹拌手段と、ドアの開閉もしくは一時停止スイッチによって乾燥動作を一時的に停止する一時停止手段と、一時停止実行時には撹拌手段と圧縮機と送風機とを停止させ、一時停止手段解除では、圧縮機停止から所定時間経過で撹拌手段と圧縮機と送風機とを作動させる制御を行う制御手段を有する構成としたものである。
【０００６】
これによって、圧縮機の停止期間を所定時間確保することによって、一時停止と停止解除に伴う圧縮機の短時間で頻繁な停止と運転の繰り返しを避け、圧縮機に負担をかけずに、乾燥中の一時停止に対応することが可能となる。
【発明の効果】
【０００７】
本発明の衣類乾燥装置は、熱源として圧縮機を含めたヒートポンプ装置を採用した場合も、圧縮機に負担をかけずに、乾燥中の一時停止に対応することができる。
【発明を実施するための最良の形態】
【０００８】
第１の発明は、圧縮機と圧縮後の高温高圧の冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置と、乾燥用空気を前記吸熱器と前記放熱器と衣類を入れた乾燥庫に導く風路と、前記風路に乾燥用空気を送る送風機と、乾燥庫内の衣類を撹拌する撹拌手段と、乾燥運転の一時停止手段と、一時停止実行時には撹拌手段と圧縮機と送風機とを停止させ、一時停止手段解除では、圧縮機停止から所定時間経過で撹拌手段と圧縮機と送風機とを作動させる制御を行い、圧縮機の停止期間を所定時間確保することによって、一時停止と停止解除に伴う圧縮機の短時間で頻繁な停止と運転の繰り返しを避けることとなり、熱源として圧縮機を含めたヒートポンプ装置を採用した場合も圧縮機に負担をかけずに、乾燥中の一時停止に対応することが可能となる。
【０００９】
第２の発明は、圧縮機と圧縮後の高温高圧の冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置と、乾燥用空気を前記吸熱器と前記放熱器と衣類を入れた乾燥庫に導く風路と、前記風路に乾燥用空気を送る送風機と、乾燥庫内の衣類を撹拌する撹拌手段と、乾燥運転の一時停止手段と、一時停止実行時には撹拌手段と圧縮機と送風機とを停止させ、一時停止手段解除では、撹拌手段と送風機とを作動させるとともに、一時停止手段解除でかつ圧縮機の停止から所定時間経過で圧縮機を作動させる制御を行うことにより、一時停止と停止解除に伴う圧縮機の短時間で頻繁な停止と運転の繰り返しを避けることとなり、熱源として圧縮機を含めたヒートポンプ装置を採用した場合も圧縮機に負担をかけずに、乾燥中の一時停止に対応することが可能となる。
【００１０】
第３の発明は、圧縮機と圧縮後の高温高圧の冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置と、乾燥用空気を前記吸熱器と前記放熱器と衣類を入れた乾燥庫に導く風路と、前記風路に乾燥用空気を送る送風機と、乾燥庫内の衣類を撹拌する撹拌手段と、乾燥運転の一時停止手段と、一時停止実行時には撹拌手段を停止させ、一時停止手段解除では、撹拌手段を作動させる制御を行うことにより、一時停止中も送風機と圧縮機を作動状態にして、一時停止と停止解除に伴う圧縮機の短時間で頻繁な停止と運転の繰り返しを避けることとなり、熱源として圧縮機を含めたヒートポンプ装置を採用した場合も圧縮機に負担をかけずに、乾燥中の一時停止に対応することが可能となる。
【００１１】
第４の発明は、圧縮機と圧縮後の高温高圧の冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置と、乾燥用空気を前記吸熱器と前記放熱器と衣類を入れた乾燥庫に導く風路と、前記風路に乾燥用空気を送る送風機と、乾燥庫内の衣類を撹拌する撹拌手段と、乾燥運転の一時停止手段と、一時停止実行時には撹拌手段を停止させて送風機と圧縮機の能力を所定値に下げ、一時停止手段解除では、撹拌手段を作動させて圧縮機と送風機の運転を所定の能力まで上げる制御を行うことにより、一時停止中も送風機と圧縮機を作動状態にして、一時停止と停止解除に伴う圧縮機の短時間で頻繁な停止と運転の繰り返しを避けることとなり、熱源として圧縮機を含めたヒートポンプ装置を採用した場合も圧縮機に負担をかけずに、乾燥中の一時停止に対応することが可能となる。
【００１２】
以下、本発明の実施の形態について、図面を参照しながら説明する。なお、本実施の形態によって本発明が限定されるものではない。
【００１３】
（実施の形態１）
図１は、本発明の第１の実施の形態における衣類乾燥装置を具備した衣類乾燥機の側断面図を示すものである。
【００１４】
図１において、ヒートポンプ装置２５は、冷媒を圧縮する圧縮機２２と、圧縮後の高温高圧の冷媒の熱を放熱する放熱器２１と、高圧の冷媒の圧力を減圧して冷媒の圧力差を維持するためのキャピラリーチューブ等の絞り手段２３と、減圧されて低圧となった冷媒が周囲から熱を奪う吸熱器２０と、これらを冷媒が循環するよう接続する管路２４とからなる。
【００１５】
乾燥用空気は、送風機１５によって、衣類２７を入れた乾燥庫で撹拌手段としての回転ドラム１１から風路１３によってヒートポンプ装置２５の吸熱器２０と放熱器２１へと導かれる。吸熱器２０では乾燥用空気を冷却除湿し、放熱器２１では乾燥用空気を再加熱して回転ドラム１１へと送り込む。リントフィルター１６は、回転ドラム１１の後面の中央部に取り付けられ、乾燥用空気中のほこりを捕捉する。
【００１６】
回転ドラム１１は、乾燥機本体８内に回転自在に設けられ、モータ９によってドラムベルト１０を介して駆動される。送風機１５は、モータ９によってファンベルト１４を介して駆動される。排水口２６はこの風路１３の途中の吸熱器２０の近くに設けたものであり、吸熱器２０での熱交換で発生した乾燥用空気の結露水を排出する。衣類２７は、本体８の前面に設けたドア１２から出し入れされる。
【００１７】
ドア１２の開閉を検知する開閉検知手段１７は、例えば、ドア１２側に取り付けた磁石と、本体８に設けられた磁気センサとしてのリードスイッチを有する構成で、ドア１２の開閉を磁石の移動による磁気の変化で検知する。乾燥運転中にドア１２を開けた場合、撹拌手段の回転ドラム１１が回転していると衣類２７の出し入れがしにくいため、乾燥運転中のドア１２の開は、一時停止手段の実行となり、ドア１２の閉は、一時停止手段の解除となる。開閉検知手段１７は一時停止手段の一つである。
【００１８】
また、操作部には、電源スイッチや乾燥運転の運転・停止スイッチや各種モード設定スイッチなどと共に、一時停止スイッチ１８があり、一時停止スイッチ１８の操作で一時停止の実行と解除ができ、一時停止スイッチ１８は一時停止手段の一つである。
【００１９】
制御手段１９は、一時停止実行時には撹拌手段の回転ドラム１１と圧縮機２２と送風機１５とを停止させ、一時停止手段解除では、圧縮機停止中にヒートポンプ装置２５内の冷媒の圧力差が小さくなるために必要な時間、例えば３分間を確保するために停止時間を計時し、圧縮機停止から所定時間経過後に回転ドラム１１と圧縮機２２と送風機１５とを作動させる。
【００２０】
ヒートポンプ装置２５を用いることによって、乾燥すべき衣類２７に当たった後の乾燥用空気から顕熱および潜熱を吸熱器２０で回収し、放熱器２１において再び乾燥用空気を加熱するための熱量に利用できるため、電熱ヒータによる加熱よりも少ない入力で同量の衣類を同じ時間で乾燥することが可能となる。さらに、家庭用コンセントの電流容量から、電熱ヒータでの出力可能な熱量は限界があるが、ヒートポンプ装置２５を用いれば、より少ない入力でより多くの出力が得られるため、より多くの加熱量で乾燥して時間短縮も実現できる。
【００２１】
次に、その動作を説明する。まず、乾燥すべき衣類２７をドア１２を開閉して回転ドラム１１内に置く。次に、ドア１２を閉めて、操作部で乾燥運転を開始すると、モータ９が回転し、回転ドラム１１及び送風機１５が回転して乾燥用空気の流れＡが生じる。乾燥用空気は、回転ドラム１１内の衣類２７から水分を奪って多湿となった後、リントフィルター１６を通過して、風路１３内を通ってヒートポンプ装置２５の吸熱器２０へ運ばれる。
【００２２】
吸熱器２０で低温の冷媒に熱を奪われた乾燥用空気は除湿され、更に放熱器２１へ運ばれ、前記吸熱器２０で吸熱された熱量に、圧縮機１４からの熱量が加わって高温となった冷媒からの放熱で加熱され、再び回転ドラム１１内へと循環される。以上の繰り返しで衣類２７は乾燥していく。
【００２３】
乾燥途中で、ドア１２が開けられたり、一時停止スイッチ１８が操作されて、一時停止手段が実行されると、制御手段１９は、モータ９および圧縮機２２を停止するとともに、圧縮機２２の停止時間計時を開始する。この間、使用者によって衣類の追加や取り出しが行われた後、ドア１２が閉じられたり、一時停止スイッチ１８が再度操作されて、一時停止が解除されると、圧縮機２２の停止時間が所定時間を既に超えておれば、一時停止の解除とともにモータ９と圧縮機２２の運転を開始し、圧縮機２２の停止時間が所定時間を超えていなければ、所定時間が経過するまで遅延した後、モータ９と圧縮機２２の運転を開始する。
【００２４】
図２は、一時停止実行および解除時の圧縮機２２と送風機１５と撹拌手段としての回転ドラム１１の動作を示すタイムチャートである。図２の（ａ）は、一時停止時間が圧縮機に必要な停止時間以上経過した場合を示し、ドア１２が開けられたり、一時停止スイッチ１８が操作されて、一時停止手段が実行されると、圧縮機２２と送風機１５と撹拌手段としての回転ドラム１１が停止する。ドア１２が閉じられたり、一時停止スイッチ１８が再度操作されて、一時停止が解除されると、圧縮機２２と送風機１５と撹拌手段としての回転ドラム１１が作動する。
【００２５】
図２の（ｂ）は、一時停止時間が圧縮機に必要な停止時間を経過していない場合を示し、ドア１２が開けられたり、一時停止スイッチ１８が操作されて、一時停止手段が実行されると、圧縮機２２と送風機１５と撹拌手段としての回転ドラム１１が停止する。ドア１２が閉じられたり、一時停止スイッチ１８が再度操作されて、一時停止が解除された後、圧縮機２２の停止時間が所定時間になると、圧縮機２２と送風機１５と撹拌手段としての回転ドラム１１が作動する。
【００２６】
以上のように、圧縮機２２の停止期間を所定時間確保することによって、一時停止と停止解除に伴う圧縮機２２の短時間で頻繁な停止と運転の繰り返しを避けることが可能となる。
【００２７】
なお、一時停止手段は、本文では、一時停止スイッチ、もしくは、乾燥庫の衣類投入口に設けたドアの開閉状態を検知する開閉検知手段を例として挙げたが、これに限定するものではない。
【００２８】
（実施の形態２）
図３は、本発明の第２の実施の形態における衣類乾燥装置を具備した衣類乾燥機の一時停止時の動作を示すタイムチャートである。衣類乾燥機の基本動作、構成については、実施の形態１と同様であり、詳しい説明を省略する。
【００２９】
図３の（ａ）は、一時停止時間が圧縮機に必要な停止時間以上経過した場合を示し、ドア１２が開けられたり、一時停止スイッチ１８が操作されて、一時停止手段が実行されると、圧縮機２２と送風機１５と撹拌手段としての回転ドラム１１が停止する。ドア１２が閉じられたり、一時停止スイッチ１８が再度操作されて、一時停止が解除されると、圧縮機２２と送風機１５と撹拌手段としての回転ドラム１１が作動する。
【００３０】
図３の（ｂ）は、一時停止時間が圧縮機に必要な停止時間を経過していない場合を示し、ドア１２が開けられたり、一時停止スイッチ１８が操作されて、一時停止手段が実行されると、圧縮機２２と送風機１５と撹拌手段としての回転ドラム１１が停止する。ドア１２が閉じられたり、一時停止スイッチ１８が再度操作されて、一時停止が解除されると、送風機１５と撹拌手段としての回転ドラム１１が作動し、圧縮機２２は、停止時間が所定時間経過後に、遅れて運転を再開する。
【００３１】
以上のように、圧縮機２２の停止期間を所定時間確保することによって、一時停止と停止解除に伴う圧縮機２２の短時間で頻繁な停止と運転の繰り返しを避けることが可能となる。
【００３２】
また、一時停止が解除時には、圧縮機２２の停止時間が所定時間経過したか否かに関わらず、送風機１５と撹拌手段である回転ドラム１１を作動させることによって、停止前の装置の保有する熱や乾燥した空気状態を利用して乾燥を進行させることができ、圧縮機２２の作動の遅れを補う効果もある。
【００３３】
（実施の形態３）
図４は、本発明の第３の実施の形態における衣類乾燥装置を具備した衣類乾燥機の側断面図を示すものである。実施の形態１と共通の部分は同一の番号を付けて詳しい説明を省略する。
【００３４】
図４において、送風機１５は、回転ドラム１１を動かすモータ９とは別のモータ２８によって回転する。図５は、一時停止実行および解除時の圧縮機２２と送風機１５と撹拌手段としての回転ドラム１１の動作を示すタイムチャートである。衣類乾燥機の基本動作については、実施の形態１と同様であり、詳しい説明を省略する。
【００３５】
ドア１２が開けられたり、一時停止スイッチ１８が操作されて、一時停止手段が実行されると、撹拌手段としての回転ドラム１１が停止する。ドア１２が閉じられたり、一時停止スイッチ１８が再度操作されて、一時停止が解除されると、撹拌手段としての回転ドラム１１が作動する。
【００３６】
以上のように、一時停止中でも圧縮機２２の停止期間を設けないことによって、一時停止と停止解除に伴う圧縮機２２の短時間で頻繁な停止と運転の繰り返しを避けることが可能となる。
【００３７】
また、回転ドラム１５が停止することで、衣類の追加や取り出しが可能となり、一時停止中も圧縮機２２および送風機１５が作動しているため、ヒートポンプ装置２５としての機能が継続して働くため、乾燥用空気の冷却除湿と加熱の継続が可能で、乾燥の中断や一時的な乾燥能力低下の度合いを少なくすることができるものである。
【００３８】
（実施の形態４）
図６は、本発明の第４の実施の形態における衣類乾燥装置を具備した衣類乾燥機の一時停止時の動作を示すタイムチャートである。衣類乾燥機の基本動作、構成については、実施の形態１と同様であり、詳しい説明を省略する。
【００３９】
図６において、ドア１２が開けられたり、一時停止スイッチ１８が操作されて、一時停止手段が実行されると、撹拌手段としての回転ドラム１１を停止させて、送風機１５と圧縮機２２の回転数を下げるなどの制御によって能力を所定値に下げる。ドア１２が閉じられたり、一時停止スイッチ１８が再度操作されて、一時停止が解除されると、撹拌手段としての回転ドラム１１を作動させて、圧縮機２２と送風機１５の回転数を上げる制御をすることによって所定の能力まで戻す。
【００４０】
以上のように、能力を低下させることで一時停止中でも圧縮機２２の停止期間を設けないことによって、一時停止と停止解除に伴う圧縮機２２の短時間で頻繁な停止と運転の繰り返しを避けることが可能となる。また、回転ドラム１５が停止することで、衣類の追加や取り出しが可能となり、一時停止中も圧縮機２２および送風機１５が作動しているため、ヒートポンプ装置２５としての機能が継続して働くため、乾燥用空気の冷却除湿と加熱の継続が可能で、乾燥の中断や一時的な乾燥能力低下の度合いを少なくすることができるものである。
【００４１】
さらに、送風機１５の風量が低下するため、ドア１２を開けた場合にも乾燥用空気の庫外への吹き出しや庫外からの流入が少なく、流出入する風によって使用者が不快になることが少なくなり、庫内の温度変化も少なくすることができる。
【００４２】
（実施の形態５）
図７および図８は、本発明の第５の実施の形態における衣類乾燥装置を具備した洗濯乾燥機の場合を示すものであり、図７は洗濯乾燥機の一部切欠斜視図、図８は洗濯乾燥機の側断面図である。実施の形態１と共通の部分は同一の番号を付けている。
【００４３】
図７、図８において、洗濯乾燥機本体３３内には洗濯槽３４があり、モータ３５が取り付けられている。洗濯槽３４は両側面のサスペンション３６と上方部のサスペンション３７により支えられて本体３３に取り付けられている。
【００４４】
圧縮機２２で圧縮後の高温高圧の冷媒の熱を放熱する放熱器２１と、高圧の冷媒の圧力を減圧するための膨張弁もしくはキャピラリーチューブからなる絞り手段２３と、減圧されて低圧となった冷媒が周囲から熱を奪う吸熱器２０があり、圧縮機２２、放熱器２１、絞り手段２３、吸熱器２０を順に接続して再び圧縮機２２に冷媒が循環するように管路２４で連結したヒートポンプ装置２５を具備している。
【００４５】
乾燥用空気を流す風路１３は、乾燥用空気を冷却する前記吸熱器２０と、乾燥用空気を加熱する放熱器２１とを連結するように構成している。洗濯槽３４と風路１３は、フレキシブルホース３８、３９によって接続されている。風路１３には送風機１５が設けられている。乾燥庫であり撹拌手段としての回転ドラム１１はモータ３５の軸に直結して洗濯槽３４内に取り付けられている。洗濯槽３４と回転ドラム１１の前面開口部に対応した位置には衣類２７を投入するためのドア１２が設けられている。回転ドラム１１の側壁および底面部には洗濯水や乾燥用空気が出入りする孔４０と開口部４１が設けられている。
【００４６】
洗濯槽３４内壁には開口部４２が設けられており、洗濯槽３４とダクト４３の風路をつないでいる。開口部４２にはリントフィルター４７が設けられている。洗濯時の排水を流す洗濯排水路４４には、乾燥時に吸熱器２０で発生した結露水を流す結露排水路４５が接続され、水路を開閉する排水弁４６が設けられている。
【００４７】
ドア１２の開閉を検知する開閉検知手段１７は、例えばドア１２側に取り付けた磁石と本体３３に設けられた磁気センサとしてのリードスイッチを有する構成で、ドア１２の開閉を磁石の移動による磁気の変化で検知する。乾燥運転中にドア１２を開けた場合、撹拌手段の回転ドラム１１が回転していると衣類２７の出し入れがしにくいため、乾燥運転中のドア１２の開は、一時停止手段の実行となり、ドア１２の閉は、一時停止手段の解除となる。開閉検知手段１７は一時停止手段の一つである。
【００４８】
また、操作部には、電源スイッチや乾燥運転の運転・停止スイッチや各種モード設定スイッチなどと共に、一時停止スイッチ１８があり、一時停止スイッチ１８の操作で一時停止の実行と解除ができ、一時停止スイッチ１８は一時停止手段の一つである。
【００４９】
制御手段１９は、一時停止実行時には撹拌手段の回転ドラム１１を停止し、圧縮機２２や送風機１５は、一時停止前と同様に運転を継続するか、もしくは停止、あるいは能力を下げて運転する。一時停止手段解除では、回転ドラム１１と送風機１５を通常通り作動させ、圧縮機２２に対しては、停止した場合には所定以上の停止時間を確保し、停止しなかった場合は通常能力で運転する。
【００５０】
以上のように、能力を低下させることで一時停止中でも圧縮機２２の停止期間を設けないことによって、もしくは、圧縮機２２を停止した場合には、所定の停止時間を確保することによって、一時停止と停止解除に伴う圧縮機２２の短時間で頻繁な停止と運転の繰り返しを避けることが可能となる。
【産業上の利用可能性】
【００５１】
以上のように、本発明にかかる衣類乾燥装置は、圧縮機の停止期間を所定時間確保するもしくは圧縮機を停止させないことによって、一時停止と停止解除に伴う圧縮機の短時間で頻繁な停止と運転の繰り返しを避け、圧縮機に負担をかけずに、乾燥中の一時停止に対応することが可能となるので、ヒートポンプ装置を搭載した衣類乾燥機や洗濯乾燥機等の用途にも適用できる。
【図面の簡単な説明】
【００５２】
【図１】本発明の実施の形態１における衣類乾燥装置の側断面図
【図２】同衣類乾燥装置の一時停止時のタイムチャート
【図３】本発明の実施の形態２における衣類乾燥装置の一時停止時のタイムチャート
【図４】本発明の実施の形態３における衣類乾燥装置の側断面図
【図５】同衣類乾燥装置の一時停止時のタイムチャート
【図６】本発明の実施の形態４における衣類乾燥装置の一時停止時のタイムチャート
【図７】本発明の実施の形態５における衣類乾燥装置の一部切欠斜視図
【図８】同衣類乾燥装置の側断面図
【図９】従来の衣類乾燥装置の側断面図
【符号の説明】
【００５３】
１１  回転ドラム
１３  風路
１５  送風機
１７  開閉検知手段
１８  一時停止スイッチ
１９  制御手段
２０  吸熱器
２１  放熱器
２２  圧縮機
２３  絞り手段
２４  管路
２５  ヒートポンプ装置
【図１】
2005168547.tif 000003
【図２】
2005168547.tif 000004
【図３】
2005168547.tif 000005
【図４】
2005168547.tif 000006
【図５】
2005168547.tif 000007
【図６】
2005168547.tif 000008
【図７】
2005168547.tif 000009
【図８】
2005168547.tif 000010
【図９】
2005168547.tif 000011